(57)【要約】【課題】電磁弁が閉状態になる確実性を向上することにより、燃焼装置の安全性を高めること。【解決手段】コンロのロック状態がＯＮされると、ＣＰＵ７６は、スイッチング素子Ｑ１，Ｑ２をＯＦＦすることにより、昇圧回路７７からソレノイドバルブ７５への電力の供給を解除し、これにより、ガス供給路を閉じる。ＣＰＵ７６がスイッチング素子Ｑ１，Ｑ２をＯＦＦしてもソレノイドバルブ７５がガス供給路を閉じない場合、ＣＰＵ７６は、スイッチング素子Ｑ３をＯＮすることにより、昇圧回路７７からソレノイドバルブ７５への電力の供給を遮断する。【選択図】図３
2019045037.tif 000002
【特許請求の範囲】
【請求項１】
電源と、
前記電源から電力を供給されることにより燃焼手段への燃料の供給路を開くように構成された電磁弁と、
前記電源と前記電磁弁との接続状態を切り替えることにより、前記電源から前記電磁弁への電力の供給状態を切り替えるように構成された第１のスイッチング素子と、
前記電源から前記電磁弁への電力の供給を遮断するための電源遮断部と、
前記第１のスイッチング素子および前記電源遮断部を制御するように構成された制御回路と、
前記電磁弁の開閉状態を検出するように構成された検出部とを備え、
前記制御回路は、当該制御回路が前記第１のスイッチング素子を前記電源と前記電磁弁との接続を解除するように制御している場合であって、前記電磁弁が開状態であることが前記検出部によって検出された場合に、前記電源から前記電磁弁への電力の供給を遮断するように前記電源遮断部を制御するように構成されている、燃焼装置。
【請求項２】
前記電源は、過電流保護機能を有し、
前記電源遮断部は、前記電源をグラウンド電位と短絡させることによって前記電源の前記過電流保護機能を働かせることにより、前記電源から前記電磁弁への電力の供給を遮断するように構成されている、請求項１に記載の燃焼装置。
【請求項３】
前記電源遮断部は、前記電源をグラウンド電位と短絡させる第２のスイッチング素子を含み、
前記電源をグラウンド電位に短絡させるときの前記第２のスイッチング素子の接点の開閉状態が、前記電磁弁を開状態にするときの前記第１のスイッチング素子の接点の開閉状態と同一である、請求項２に記載の燃焼装置。
【発明の詳細な説明】
【技術分野】
【０００１】
本開示は、燃焼装置に関し、特に、燃焼手段への燃料の供給量を調整するように構成された電磁弁を含む燃焼装置に関する。
【背景技術】
【０００２】
従来、燃料の供給量を調整する電磁弁を備える燃焼装置において、電磁弁を確実に閉状態にすることにより安全性を確保するための技術が種々提案されている。たとえば、特許第３１２４９４３号公報（特許文献１）は、電源と電磁弁との間に直列に接続されたスイッチング素子を複数含む、ガス加熱器具の安全装置を開示する。すなわち、特許文献１は、互いに同じ動作をするスイッチング素子の数を増やすことにより、電磁弁を閉じるべきときに電源から電磁弁への電力の供給を確実に回避し、これにより、電磁弁を確実に閉状態にしようとしている。また、特開２０００−１１２５４２号公報（特許文献２）は、電源自体に過電流保護機能（負荷電流が所定値を超えた場合に電源の出力電流を抑制する機能）を設ける技術を開示している。
【先行技術文献】
【特許文献】
【０００３】
【特許文献１】特許第３１２４９４３号公報
【特許文献２】特開２０００−１１２５４２号公報
【発明の概要】
【発明が解決しようとする課題】
【０００４】
特許文献１に開示されたような、互いに同じ動作をするスイッチング素子の数を増やすことは、燃焼装置の安全性を高める技術の一例であると考えられる。一方、電磁弁を確実に閉状態にすることによる燃焼装置の安全性の確保は重要な技術であり、常に、さらなる向上が求められている。
【０００５】
本開示は、かかる実情に鑑み考え出されたものであり、その目的は、電磁弁が閉状態になる確実性を向上することにより、燃焼装置の安全性を高めることである。
【課題を解決するための手段】
【０００６】
本開示のある局面に従うと、電源と、電源から電力を供給されることにより燃焼手段への燃料の供給路を開くように構成された電磁弁と、電源と電磁弁との接続状態を切り替えることにより、電源から電磁弁への電力の供給状態を切り替えるように構成された第１のスイッチング素子と、電源から電磁弁への電力の供給を遮断するための電源遮断部と、第１のスイッチング素子および電源遮断部を制御するように構成された制御回路と、電磁弁の開閉状態を検出するように構成された検出部とを備える燃焼装置が提供される。制御回路は、当該制御回路が第１のスイッチング素子を電源と電磁弁との接続を解除するように制御している場合であって、電磁弁が開状態であることが検出部によって検出された場合に、電源から電磁弁への電力の供給を遮断するように電源遮断部を制御するように構成されている。
【０００７】
電源は、過電流保護機能を有していてもよい。電源遮断部は、電源をグラウンド電位と短絡させることによって電源の過電流保護機能を働かせることにより、電源から電磁弁への電力の供給を遮断するように構成されていてもよい。
【０００８】
電源遮断部は、電源をグラウンド電位と短絡させる第２のスイッチング素子を含んでいてもよい。電源をグラウンド電位に短絡させるときの第２のスイッチング素子の接点の開閉状態が、電磁弁を開状態にするときの第１のスイッチング素子の接点の開閉状態と同一であってもよい。
【発明の効果】
【０００９】
本開示によれば、燃焼装置では、第１のスイッチング素子が電源と電磁弁との接続を解除することによって、電源から電磁弁への電力の供給が遮断される。燃焼装置では、さらに、制御回路が電源と電磁弁との接続を解除するように第１のスイッチング素子を制御しても電源から電磁弁へ電力が供給されている場合には、電源遮断部が電源と電磁弁との接続を解除する。これにより、燃焼装置では、電磁弁への電力の供給が確実に解除されることによって、電磁弁が確実に供給路を閉じる。
【図面の簡単な説明】
【００１０】
【図１】燃焼装置の一例として示されるコンロ１００の概略構成図である。
【図２】コントローラ７の機能構成の一例を示す図である。
【図３】制御部７２における、ソレノイドバルブ７５の開閉を制御するための構成の一例を説明するための図である。
【図４】ソレノイドバルブ７５（電磁弁）がガス供給路を開くために実行される処理のフローチャートである。
【図５】ソレノイドバルブ７５（電磁弁）がガス供給路を閉じるために実行される処理のフローチャートである。
【発明を実施するための形態】
【００１１】
以下、図面を参照しつつ、燃焼装置の実施の形態について説明する。以下の説明では、同一の部品および構成要素には同一の符号を付してある。それらの名称および機能も同じである。したがって、これらについての詳細な説明は繰り返さない。
【００１２】
［１．燃焼装置の概略構成］
図１を参照して、燃焼装置の概略構成を説明する。図１は、燃焼装置の一例として示されるコンロ１００の概略構成図である。
【００１３】
図１に示されるように、コンロ１００は、キッチンカウンターに組み込まれるビルトインタイプである。コンロ１００は、バーナー１，２，３と、バーナー１の点火スイッチ４１と、バーナー２の点火スイッチ４２と、バーナー３の点火スイッチ４３と、バーナー１の操作パネル５１と、バーナー２の操作パネル５２と、バーナー３の操作パネル５３と、グリル６と、グリル６の操作パネル６１と、ロックスイッチ７４と、グリル排気口６２と、コントローラ７と、天板１０とを備える。
【００１４】
天板１０は、コンロ１００の上面を覆っている。天板１０には、３個のバーナー１，２，３が設けられている。３個の中で、バーナー１は左手前側に位置し、バーナー２は右手前側に位置し、バーナー３は奥側に位置している。バーナー１は五徳１２と温度センサ１３とを含む。温度センサ１３は五徳１２の上に鍋のような調理機器が載置されたか否かを検知するとともに当該調理機器の温度を検出する。同様に、バーナー２は五徳２２と温度センサ２３とを含み、バーナー３は五徳３２と温度センサ３３とを含む。
【００１５】
コンロ１００の前面において、バーナーの点火スイッチ４１，４２，４３およびロックスイッチ７４は、右側の上部に配置されている。操作パネル５１，５２，５３は右側の下部に配置されている。グリル６は、コンロ１００の前面の中央において引出可能に配置されている。コンロ１００の前面の左側には、グリル６の操作パネル６１が配置されている。グリル排気口６２は、天板１０に配置されている。
【００１６】
コントローラ７は、コンロ１００の内部に設けられている。コントローラ７は、コンロ１００の各負荷を制御する。コントローラ７の実体の一例は、ＣＰＵ（Central Processing Unit），半導体メモリ，および，ＤＣ（Direct Current）／ＤＣコンバータのような電子素子が実装された電子回路基板である。
【００１７】
［２．コントローラの機能構成］
図２を参照して、コントローラ７の機能構成を説明する。図２は、コントローラ７の機能構成の一例を示す図である。図２において実線は電池８から供給される電力の流れを表し、破線は信号の流れを表し、白抜きの矢印は燃料の一例である供給路におけるガスの流れを表す。
【００１８】
図２に示されるように、コントローラ７は、記憶部７１と、制御部７２と、電圧検出部７３とを備える。記憶部７１は、例えば、ＲＯＭ（Read Only Memory）、ＥＥＰＲＯＭ（Electrically Erasable Programmable ROM）、フラッシュメモリのような不揮発性の半導体メモリを含み、制御部７２で実行されるプログラム、および当該プログラムによって必要とされるデータを記憶する。制御部７２は、たとえばＳＲＡＭ（Static Random Access Memory）またはＤＲＡＭ（Dynamic Random Access Memory）のような記憶素子とＣＰＵ（後述する図３のＣＰＵ７６）とを備え、コンロ１００を統合的に制御する。電圧検出部７３は、例えば電圧センサであり、電池８の電圧を検出して制御部７２に送信する。
【００１９】
電池８は、コンロ１００を構成する負荷に電力を供給する。図２において、電池８は、バーナー１，２，３、温度センサ１３，２３，３３、ステッピングモータ（ＳＰＭ）１４，２４，３４、点火スイッチ４１，４２，４３、操作パネル５１，５２，５３、コントローラ７、スピーカ９、ソレノイドバルブ（ＳＶ）７５に電力を供給している。
【００２０】
制御部７２は、例えば、温度センサ１３，２３，３３からの信号、点火スイッチ４１，４２，４３からの信号、操作パネル５１，５２，５３からの信号、ロックスイッチ７４からの信号、および電圧検出部７３からの信号に基づいて、スピーカ９，ソレノイドバルブ（ＳＶ）７５，ステッピングモータ１４，２４，３４のようなコンロ１００を構成する各負荷を制御する。
【００２１】
コンロ１００において、比例弁１４Ａ，２４Ａ，３４Ａのそれぞれは、ガスの供給源からバーナー１，２，３のそれぞれへのガス供給路を開閉する。ステッピングモータ１４，２４，３４のそれぞれは、比例弁１４Ａ，２４Ａ，３４Ａの開閉の度合いを調整することによって、それぞれの弁を通過するガスの量を調整する。
【００２２】
ソレノイドバルブ７５は、ガスの供給源からコンロ１００へのガスの通路を開閉する。ソレノイドバルブ７５は、常時閉の電磁弁であり、ソレノイドが通電されることによって閉状態から開状態に遷移する。コンロ１００において、バーナー１，２，３のそれぞれには、ソレノイドバルブ７５と、比例弁１４Ａ，２４Ａ，３４Ａのそれぞれとを経て、ガスが供給される。たとえば、バーナー１には、ソレノイドバルブ７５と比例弁１４Ａとを経て、ガスが供給される。
【００２３】
ロックスイッチ７４は、コンロ１００のロック状態のＯＮ／ＯＦＦを切り替えるために操作される。ロック状態の一例は、バーナー１，２，３のいずれの燃焼も禁止する状態である。ある実施の形態では、制御部７２は、ロックスイッチ７４が操作されるたびに、コンロ１００の状態を、ロック状態のＯＮとＯＦＦとの間で切り替える。制御部７２は、ロック状態がＯＮのときにはソレノイドバルブ７５を閉じ、コンロ１００のロック状態が解除されたときには、ソレノイドバルブ７５を開く。
【００２４】
制御部７２は、ステッピングモータ１４，２４，３４のそれぞれを制御して、バーナー１，２，３のそれぞれに供給されるガスの量を調整し、これにより、バーナー１，２，３のそれぞれの火力を制御する。たとえば、ユーザにより操作パネル５２において火力を自動調節しながら麺をゆでるモード（以下では「麺ゆでモード」ともいう。）が選択された場合には、ステッピングモータ２４を制御しながらバーナー２に供給するガス量を調節する。
【００２５】
制御部７２は、コンロ１００がロック状態にあるときには、当該ロック状態が解除されるまで、点火スイッチ４１，４２，４３および操作パネル５１，５２，５３に対する操作を受け付けないように構成されていてもよい。制御部７２は、ロック状態でこれらの操作がなされたことに応じて、スピーカ９を制御して、「ロックスイッチを操作して、ロック状態を解除してください」などの、各操作に対応した本来の制御が実行されない理由を説明する音声を出力してもよい。
【００２６】
制御部７２は、鍋が五徳１２に置かれていないにも関わらずユーザが点火スイッチ４１を押した場合には、温度センサ１３からの信号により、制御部７２はスピーカ９を制御して、「鍋をおいてください」との注意喚起の音声を出力する。
【００２７】
［３．ソレノイドバルブの開閉制御］
図３を参照して、ソレノイドバルブ７５の開閉制御のための構成を説明する。図３は、制御部７２における、ソレノイドバルブ７５の開閉を制御するための構成の一例を説明するための図である。
【００２８】
図３に示されるように、制御部７２は、ＣＰＵ７６と、昇圧回路７７と、電流計７８と、３個のスイッチング素子Ｑ１，Ｑ２，Ｑ３とを含む。昇圧回路７７は、電池８によって供給される電圧をＤＣ１５Ｖまで昇圧し、また、過電流制限回路を含む。ある実施の形態では、スイッチング素子Ｑ２，Ｑ３は第１導電型のトランジスタによって実現され、スイッチング素子Ｑ１は第２導電型のトランジスタによって実現される。
【００２９】
スイッチング素子Ｑ１において、ソース端子はソレノイドバルブ７５に接続され、ドレイン端子は昇圧回路７７に接続され、ゲート端子はＣＰＵ７６に接続されている。スイッチング素子Ｑ２において、ソース端子はグラウンド電位に接続され、ドレイン端子はソレノイドバルブ７５に接続され、ゲート端子はＣＰＵ７６に接続されている。スイッチング素子Ｑ３において、ソース端子はグラウンド電位に接続され、ドレイン端子は昇圧回路７７に接続され、ゲート端子はＣＰＵ７６に接続されている。
【００３０】
昇圧回路７７と、スイッチング素子Ｑ１と、ソレノイドバルブ７５と、スイッチング素子Ｑ２とは、直列に接続されている。スイッチング素子Ｑ３は、昇圧回路７７とＣＰＵ７６との間に、スイッチング素子Ｑ１と並列に接続されている。
【００３１】
ＣＰＵ７６は、スイッチング素子Ｑ１，Ｑ２をＯＮ（導通状態）にする。これにより、ソレノイドバルブ７５は、昇圧回路７７からＤＣ１５Ｖを印加されることによって、昇圧回路７７から電力を供給される。ソレノイドバルブ７５は、昇圧回路７７から電力を供給された状態ではガス供給路を開き、昇圧回路７７から電力を供給されない状態ではガス供給路を閉じる。本開示において、バーナー１，２，３の中の少なくとも１つが燃焼手段の一例であり、ソレノイドバルブ７５が燃焼手段への燃料の供給路を開くように構成された電磁弁の一例であり、昇圧回路７７が電磁弁に電力を供給する電源の一例である。ＣＰＵ７６は、スイッチング素子Ｑ１，Ｑ２をＯＦＦ（非導通状態）にする。これにより、ソレノイドバルブ７５には昇圧回路７７からの電力の供給は解除される。
【００３２】
ＣＰＵ７６とソレノイドバルブ７５との間には、スイッチング素子Ｑ２と並列に、電流計７８が接続されている。ＣＰＵ７６は、電流計７８によって計測される電流値に基づいて、昇圧回路７７からソレノイドバルブ７５に電力が供給されているか否かを判断する。たとえば、電流計７８が所与値以上の電流を計測した場合、昇圧回路７７からソレノイドバルブ７５に電力が供給されていると判断される。電流計７８が所与値以上の電流を計測しない場合、昇圧回路７７からソレノイドバルブ７５に電力が供給されていないと判断される。ソレノイドバルブ７５は、昇圧回路７７から電力を供給された状態でガス供給路を開き、昇圧回路７７から電力を供給されていない状態でガス供給路を閉じる。これにより、電流計７８によって所定値以上の電流が計測されるか否かは、ソレノイドバルブ７５がガス供給路を開いているか否かに対応する。この意味において、電流計７８は、電磁弁（ソレノイドバルブ７５）の開閉状態を検出するように構成された検出部の一例である。
【００３３】
ＣＰＵ７６がスイッチング素子Ｑ３をＯＮにすると、昇圧回路７７の出力端子がグラウンド電位と接続する。このとき、昇圧回路７７の過電流制限回路による保護動作によって昇圧回路７７の出力が０Ｖへと低下する。過電流制限回路を有することは、過電流保護機能を有することの一例である。この状態では、たとえスイッチング素子Ｑ１，Ｑ２がＯＮされていても、ソレノイドバルブ７５には昇圧回路７７からの電力は供給されず、ソレノイドバルブ７５はガス供給路を閉じる。
【００３４】
［４．ソレノイドバルブがガス供給路を開くための動作］
図４を参照して、ソレノイドバルブ７５がガス供給路を開くための動作を説明する。図４は、ソレノイドバルブ７５（電磁弁）がガス供給路を開くために実行される処理のフローチャートである。図４の処理は、たとえばＣＰＵ７６が所与のプログラムを実行することによって実現される。ＣＰＵ７６は、たとえばコンロ１００のロック状態がＯＮからＯＦＦへと切り替えられたときに図４の処理を開始する。
【００３５】
図４に示されるように、ステップＳ１０にて、ＣＰＵ７６は、スイッチング素子Ｑ１，Ｑ２をＯＮにする。ステップＳ１２にて、ＣＰＵ７６は、電流計７８の検出値を読み出すことによって、昇圧回路７７からソレノイドバルブ７５への電圧の印加状態をチェックする。
【００３６】
ステップＳ１４にて、ＣＰＵ７６は、ステップＳ１２におけるチェックの結果に基づいて、昇圧回路７７の電圧（ＤＣ１５Ｖ）がソレノイドバルブ７５に印加されているか否かを判断する。ＣＰＵ７６は、当該電圧が印加されていると判断すると（ステップＳ１４にてＹＥＳ）、図４の処理を終了させ、そうでなければ（ステップＳ１４にてＮＯ）、ステップＳ１６へ制御を進める。
【００３７】
ステップＳ１６にて、ＣＰＵ７６は、スイッチング素子Ｑ１，Ｑ２をＯＦＦする。その後、ステップＳ１８にて、ＣＰＵ７６は、エラーを報知した後、図４の処理を終了させる。エラー報知の一例は、スピーカ９からの音声「回路にエラーが発生しています」の出力である。
【００３８】
ステップＳ１２におけるチェックは、ソレノイドバルブ７５によるガス供給路の開閉状態の検出の一例である。昇圧回路７７の電圧が印加されている状態が、ソレノイドバルブ７５がガス供給路を開いている状態に相当する。昇圧回路７７の電圧が印加されていない状態が、ソレノイドバルブ７５がガス供給路を閉じている状態に相当する。
【００３９】
［５．ソレノイドバルブがガス供給路を閉じるための動作］
図５を参照して、ソレノイドバルブ７５がガス供給路を閉じるための動作を説明する。図５は、ソレノイドバルブ７５（電磁弁）がガス供給路を閉じるために実行される処理のフローチャートである。図５の処理は、たとえばＣＰＵ７６が所与のプログラムを実行することによって実現される。ＣＰＵ７６は、たとえばコンロ１００のロック状態がＯＦＦからＯＮへと切り替えられたときに図５の処理を開始する。
【００４０】
図５に示されるように、ステップＳ２０にて、ＣＰＵ７６は、スイッチング素子Ｑ１，Ｑ２をＯＦＦにする。ステップＳ２２にて、ＣＰＵ７６は、電流計７８の検出値を読み出すことによって、昇圧回路７７からソレノイドバルブ７５への電圧の印加状態をチェックする。
【００４１】
ステップＳ２４にて、ＣＰＵ７６は、ステップＳ２２におけるチェックの結果に基づいて、昇圧回路７７の電圧（ＤＣ１５Ｖ）がソレノイドバルブ７５に印加されているか否かを判断する。ＣＰＵ７６は、当該電圧が印加されていると判断すると（ステップＳ２４にてＹＥＳ）、ステップＳ２６へ制御を進め、そうでなければ（ステップＳ２４にてＮＯ）、図５の処理を終了させる。
【００４２】
ステップＳ２６にて、ＣＰＵ７６は、スイッチング素子Ｑ３をＯＮする。その後、ステップＳ２８にて、ＣＰＵ７６は、エラーを報知した後、図５の処理を終了させる。エラー報知の一例は、スピーカ９からの音声「回路にエラーが発生しています」の出力である。
【００４３】
本実施の形態において、スイッチング素子Ｑ１，Ｑ２は、電源（昇圧回路７７）と電磁弁（ソレノイドバルブ７５）との接続状態を切り替えることにより、電源から電磁弁への電力の供給状態（電力を供給する／供給しない）を切り替えるように構成された第１のスイッチング素子の一例である。ＣＰＵ７６は、第１のスイッチング素子の状態を電源と電磁弁とを接続する状態（スイッチング素子Ｑ１，Ｑ２をＯＮ）と接続しない状態（スイッチング素子Ｑ１，Ｑ２をＯＦＦ）との間で切り替えることによって第１のスイッチング素子の状態を制御するように構成された、制御回路の一例である。
【００４４】
本実施の形態では、ＣＰＵ７６がスイッチング素子Ｑ１，Ｑ２をＯＦＦしてもソレノイドバルブ７５がガス供給路を閉じない場合（ステップＳ２４にてＹＥＳ）、ＣＰＵ７６は、スイッチング素子Ｑ３をＯＮすることにより昇圧回路７７の過電流保護機能を働かせ（過電流制限回路による保護動作を実行させ）、これにより、昇圧回路７７からソレノイドバルブ７５への電力の供給を遮断するように構成されている（ステップＳ２６）。この場合、スイッチング素子Ｑ３は、電源（昇圧回路７７）から電磁弁（ソレノイドバルブ７５）への電力の供給を遮断するための電源遮断部の一例である。制御回路の一例であるＣＰＵ７６は、さらに、電源遮断部の状態を制御する。
【００４５】
なお、コンロ１００は、昇圧回路７７とＣＰＵ７６との間に、スイッチング素子Ｑ１，Ｑ２と並列に接続された要素によって昇圧回路７７とソレノイドバルブ７５との間に設けられたヒューズを切る等の構成により、昇圧回路７７の過電流保護機能を利用することなく、昇圧回路７７からソレノイドバルブ７５への電力の供給を解除する構成を有していてもよい。
【００４６】
また、ＣＰＵ７６による制御以外の要因でも、スイッチング素子Ｑ３が上記電力の供給を遮断する場合があり得る。スイッチング素子Ｑ２とスイッチング素子Ｑ３は、いずれも第１導電型のトランジスタによって構成されている。スイッチング素子Ｑ１，Ｑ２がショート故障の状態にある場合、ＣＰＵ７６がスイッチング素子Ｑ１，Ｑ２をＯＦＦにしてもスイッチング素子Ｑ１，Ｑ２は導通状態にある。この場合、スイッチング素子Ｑ２と同じ第１導電型のトランジスタによって構成されるスイッチング素子Ｑ３も同様にショート故障する場合があり得る。スイッチング素子Ｑ２とスイッチング素子Ｑ３の双方がショート故障しても、昇圧回路７７からソレノイドバルブ７５への電力の供給が行なわれないだけで、ソレノイドバルブ７５が意図せず閉じる状態は生じない。この意味において、電源をグラウンド電位に短絡させるときの第２のスイッチング素子（スイッチング素子Ｑ３）の接点の開閉状態（ＯＮ）が、電磁弁を開状態にするときの第１のスイッチング素子（スイッチング素子Ｑ２）の接点の開閉状態（ＯＮ）と同一である。
【００４７】
コンロ１００は、スイッチング素子Ｑ２がショート故障する状況ではスイッチング素子Ｑ３が同様にショート故障して、ソレノイドバルブ７５が確実に閉じるように構成されることが好ましい。このことから、スイッチング素子Ｑ３は、スイッチング素子Ｑ３と同種類の製品（型番が同じ）であることが好ましい。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４９】
１，２，３  バーナー、６  グリル、７  コントローラ、８  電池、９  スピーカ、１０  天板、１４，２４，３４  ステッピングモータ、１４Ａ，２４Ａ，３４Ａ  比例弁、７２  制御部、７３  電圧検出部、７４  ロックスイッチ、７５  ソレノイドバルブ、７７  昇圧回路、７８  電流計、１００  コンロ、Ｑ１，Ｑ２，Ｑ３  スイッチング素子。
【図１】
2019045037.tif 000003
【図２】
2019045037.tif 000004
【図３】
2019045037.tif 000005
【図４】
2019045037.tif 000006
【図５】
2019045037.tif 000007